(57)【要約】【課題】本願が開示する技術は、筐体の薄型化を図ることを目的とする。【解決手段】ノートパソコン１０は、プリント基板２２と、プリント基板２２を収納する固定側筐体２４とを備えている。固定側筐体２４は、プリント基板２２を上面２２Ｕ側から覆うアッパーケース２６と、プリント基板２２を下面２２Ｌ側から覆うロアケース２８とを有している。これらのプリント基板２２とアッパーケース２６との間には、キーボード７０が配置されている。また、キーボード７０とロアケース２８との間には、記憶装置５０が配置される。さらに、キーボード７０とプリント基板２２との間には、格子状に形成されると共にプリント基板２２に対してキーボード７０を支持する支持フレーム８０の格子状部８６が配置されている。この格子状部８６には、記憶装置５０が配置される拡張ユニット用収容開口９０が形成されている。【選択図】図６
2013200677.tif 000002
【特許請求の範囲】
【請求項１】
プリント基板と、
前記プリント基板を上面側から覆うアッパーケースと、前記プリント基板を下面側から覆うロアケースとを有し、前記プリント基板を収納する筐体と、
前記プリント基板と前記アッパーケースとの間に配置されたキーボードと、
前記キーボードと前記ロアケースとの間に配置された拡張ユニットと、
前記キーボードと前記プリント基板との間に配置されると共に前記プリント基板に対して前記キーボードを支持する格子状部を有し、前記格子状部の一部に前記拡張ユニットが配置される拡張ユニット用収容開口が形成された支持部材と、
を備えた電子機器。
【請求項２】
前記格子状部には、前記拡張ユニット用収容開口の周縁部から前記ロアケースの底壁部へ向けて突出する拡張ユニット用リブが設けられている、
請求項１に記載の電子機器。
【請求項３】
前記拡張ユニット用リブの先端部が、前記ロアケースの底壁部に当接される、
請求項２に記載の電子機器。
【請求項４】
前記キーボードと前記ロアケースとの間に配置された冷却ユニットを備え、
前記格子状部の一部には、前記冷却ユニットが配置される冷却ユニット用収容開口が形成されている、
請求項１〜請求項３の何れか１項に記載の電子機器。
【請求項５】
前記格子状部には、前記冷却ユニット用収容開口の周縁部から前記ロアケースの底壁部へ向けて突出する冷却ユニット用リブが設けられている、
請求項４に記載の電子機器。
【請求項６】
前記冷却ユニット用リブの先端部が、前記ロアケースの底壁部に当接される、
請求項５に記載の電子機器。
【請求項７】
樹脂製の前記支持部材に取り付けられた金属製のカバー体を備え、
前記カバー体が、
前記冷却ユニット用収容開口に配置された前記冷却ユニットを前記キーボード側から覆うカバー本体部と、
前記天壁部の周縁部から前記ロアケースへ向けて延出され、下端部が該ロアケースの底壁部に当接される側壁部と、
を有する、
請求項４〜請求項６の何れか１項に記載の電子機器。
【請求項８】
前記キーボードが、前記筐体の前後方向及び幅方向に配列された複数のキーを有し、
前記格子状部が、
前記筐体の前後方向に延びると共に、該筐体の幅方向に間隔を空けて配置された複数の縦格子梁と、
前記筐体の幅方向に延びると共に、該筐体の前後方向に間隔を空けて配置され、前記複数の縦格子梁と格子状に結合された複数の横格子梁と、
を有し、
前記複数の横格子梁の少なくとも１つが、平面視にて前記筐体の幅方向に配列された前記複数のキーとラップしている、
請求項１〜請求項７の何れか１項に記載の電子機器。
【請求項９】
前記筐体内に収納されると共に、前記拡張ユニットに対して前記筐体の前後方向の前側に配置されたバッテリを備えた、
請求項１〜請求項８の何れか１項に記載の電子機器。
【発明の詳細な説明】
【技術分野】
【０００１】
本願が開示する技術は、電子機器に関する。
【背景技術】
【０００２】
筐体と、筐体内に収納されたプリント基板と、筐体の天壁部に形成された格子状部に外側（上側）から取り付けられたキーボードと、を備えたノートブック型パーソナルコンピュータ（以下、「ノートパソコン」という）等の電子機器が知られている。
【先行技術文献】
【特許文献】
【０００３】
【特許文献１】特開２００９−１１０５６６号公報
【発明の概要】
【発明が解決しようとする課題】
【０００４】
ところで、キーボードは、打鍵されたときに、たわむ可能性がある。この対策として、筐体の天壁部にキーボードが内側（下側）から取り付けられた電子機器において、キーボードを板状の支持部材によって下側から支持することが考えられる。
【０００５】
しかしながら、キーボードの下側に支持部材を配置すると、支持部材の厚みにより筐体の厚みが増加する可能性がある。
【０００６】
本願が開示する技術は、筐体の薄型化を図ることを目的とする。
【課題を解決するための手段】
【０００７】
本願が開示する技術では、電子機器は、プリント基板と、当該プリント基板を収納する筐体とを備えている。筐体は、プリント基板を上面側から覆うアッパーケースと、プリント基板を下面側から覆うロアケースとを有している。これらのプリント基板とアッパーケースとの間には、キーボードが配置されている。また、キーボードとロアケースとの間には、拡張ユニットが配置されている。さらに、キーボードとプリント基板との間には、格子状に形成されると共にプリント基板に対してキーボードを支持する支持部材の格子状部が配置されている。この格子状部の一部には、拡張ユニットが配置される拡張ユニット用収容開口が形成されている。
【発明の効果】
【０００８】
本願が開示する技術によれば、筐体の薄型化を図ることができる。
【図面の簡単な説明】
【０００９】
【図１】図１は、電子機器の一実施例であるノートパソコンを示す斜視図である。
【図２】図２は、図１に示される固定側装置を示す分解斜視図である。
【図３】図３は、図１に示される固定側装置を示す平面図である。
【図４】図４は、図２に示されるアッパーケース、キーボード、及び支持フレームを示す分解斜視図である。
【図５】図５は、図４の拡大分解斜視図である。
【図６】図６は、図３の６−６線断面図である。
【図７】図７は、図３の拡大平面図である。
【図８】図８は、図２に示される記憶装置及び支持フレームを示す分割斜視図である。
【図９】図９（Ａ）は図３の９Ａ−９Ａ線断面図であり、図９（Ｂ）は図３の９Ｂ−９Ｂ線断面図である。
【図１０】図１０は、図２に示される支持フレーム、カバー体、ファンユニットを示す分解斜視図である。
【図１１】図１１は、図３の１１−１１線断面図である。
【図１２】図１２は、図１に示される電子機器の変形例を示す図３の拡大図に相当する平面図である。
【発明を実施するための形態】
【００１０】
以下、図面を参照しながら本願が開示する電子機器の一実施例について説明する。
【００１１】
図１に示されるように、電子機器の一例としてのノートパソコン１０は、固定側装置２０と、固定側装置２０の後端部に図示しないヒンジユニットを介して矢印Ｋ方向に開閉（回転）可能に支持された可動側装置３０とを備えている。この可動側装置３０は、固定側装置２０の上に重ねられる閉じ位置と、固定側装置２０に対して立てられた開き位置との間で移動可能になっている。
【００１２】
なお、図１には、可動側装置３０が開き位置に位置した状態が示されている。また、各図において適宜示される矢印Ｘは、固定側装置２０の幅方向（装置幅方向）の外側（右側）を示している。また、矢印Ｙは、固定側装置２０の前後方向（装置前後方向）の前側を示している。さらに、矢印Ｚは、固定側装置２０の上下方向（装置上下方向）の上側を示している。さらにまた、以下の説明において、特記なく前後、上下の方向を用いる場合は、固定側装置２０（固定側筐体２４）の装置前後方向、装置上下方向をそれぞれ示すものとする。
【００１３】
可動側装置３０は、表示パネル３２と、表示パネル３２を収納する可動側筐体３４とを有している。表示パネル３２の前面は、画像や映像等を表示する表示面３２Ａとされている。可動側筐体３４は、表示パネル３２の表示面３２Ａの外周部を覆うフロントカバー３６と、表示パネル３２の背面を覆うバックカバー３８とを有している。フロントカバー３６は枠状に形成されており、その内側から表示パネル３２の表示面３２Ａが露出している。
【００１４】
図２に示されるように、固定側装置２０は、プリント基板２２と、プリント基板２２を収納する筐体の一例としての固定側筐体２４を有している。固定側筐体２４は、プリント基板２２を上面２２Ｕ側から覆うアッパーケース２６と、プリント基板２２を下面２２Ｌ側から覆うロアケース２８とを有している。アッパーケース２６は下側が開口した箱状に形成されており、ロアケース２８は上側が開口した箱状に形成されている。これらのアッパーケース２６とロアケース２８とは、上下方向に対向すると共に、互いの開口を閉じるように合わせられ、図示しないビス等で連結される。
【００１５】
固定側筐体２４における後端側には、アッパーケース２６側から順にキーボード７０、支持部材の一例としての支持フレーム８０、及びプリント基板２２が積層された状態で収納される。また、図３に示されるように、固定側筐体２４の後端側には、後述する拡張ユニットの一例としての記憶装置５０と、冷却ユニットの一例としてのファンユニット５４とが収納される。これらの記憶装置５０及びファンユニット５４は、平面視にて（装置上下方向から見て）キーボード７０とラップするように固定側筐体２４に収納される。
【００１６】
一方、固定側筐体２４における前端側、即ち、操作者の手首等が載置されるアッパーケース２６のパームレスト部２６Ｐ側には、バッテリ６０が収納される。バッテリ６０は、平面視にて記憶装置５０及びファンユニット５４とラップしないように、記憶装置５０及びファンユニット５４に対して前側に配置される。なお、アッパーケース２６のパームレスト部２６Ｐには、タッチパッド１２等のポインティングデバイス、及び操作者の指紋を光学的に読み取る指紋センサー１４等が設けられている。
【００１７】
図２に示されるように、プリント基板２２は、図示しないＣＰＵ（Ｃｅｎｔｒａｌ  Ｐｒｏｃｅｓｓｉｎｇ  Ｕｎｉｔ）等の複数の電子部品が実装されたメインボードとされており、固定側筐体２４における後端側に長手方向を装置幅方向にして収納される。このプリント基板２２には、前述した複数の電子部品を電気的に接続する電気回路が形成されている。
【００１８】
プリント基板２２の長手方向の一端側（右側）には、記憶装置５０が配置される拡張ユニット用開口４０が形成されている。拡張ユニット用開口４０は、記憶装置５０の外形に応じて平面視にて矩形に形成されており、その内部に記憶装置５０が配置される。記憶装置５０は、例えば、ハードディスクドライブ（ＨＤＤ）又はソリッドステートドライブ（ＳＳＤ）であり、平面視にて矩形の箱状に形成されたケース５２と、ケース５２内に収容された図示しない記録媒体とを有している。この記憶装置５０は、拡張ユニット用開口４０内に配置された状態で、プリント基板２２に設けられたコネクタ４２に接続される。これにより、プリント基板２２上に形成された電気回路と記憶装置５０とが電気的に接続される。
【００１９】
一方、プリント基板２２の長手方向の他端側（左側）には、ファンユニット５４が配置される冷却ユニット用開口４４が形成されている。冷却ユニット用開口４４は、ファンユニット５４の外形に応じて平面視にて矩形に形成されており、その内部にファンユニット５４が配置される。ファンユニット５４は、装置幅方向に隣接するヒートシンク５８を冷却する冷却風を生成する送風機であり、平面視にて矩形の箱状に形成されたファンケース５６と、ファンケース５６内に収容された図示しないファンとを有している。このファンが回転駆動することにより、ファンケース５６に形成された送風口５６Ａ（図１０参照）からヒートシンク５８へ向けて冷却風が送風される。
【００２０】
ヒートシンク５８は、ファンユニット５４を挟んでプリント基板２２と反対側（ファンユニット５４の左側）に配置されている。ヒートシンク５８は、プリント基板２２に実装された電子部品との間で循環する冷却液（冷媒）と、ファンユニット５４から送風された冷却風とを熱交換させ、当該冷却液を冷却する熱交換である。このヒートシンク５８とプリント基板２２に実装された電子部品との間で冷却液を循環させることにより、当該電子部品が冷却される。
【００２１】
固定側筐体２４におけるプリント基板２２の前側には、前述したバッテリ６０が収納される。バッテリ６０は、前述した表示パネル３２、図示しないＣＰＵ、記憶装置５０、及びファンユニット５４等へ供給される電力を蓄電する充放電可能な蓄電池（二次電池）であり、図示しない配線を介して表示パネル３２等と電気的に接続されている。このバッテリ６０は、薄型の直方体状に形成さており、長手方向を装置幅方向にして配置される。
【００２２】
プリント基板２２の上には、支持フレーム８０を介してキーボード７０が載置される。キーボード７０は、ベースボード７２と、ベースボード７２の上面側に装置幅方向及び装置前後方向に配列された複数のキー７４とを有し、長手方向を装置幅方向にして配置される。ベースボード７２の外周部には、アッパーケース２６に取り付けられる複数の取付部７２Ａが設けられている。これらの取付部７２Ａをアッパーケース２６の天壁部２６Ｕの下面から突出する取付ピン４６（図５参照）に係止することにより、キーボード７０がロアケース２８側（下側）からアッパーケース２６の天壁部２６Ｕに取り付けられる（固定される）。
【００２３】
複数のキー７４は、ベースボード７２をアッパーケース２６に取り付けた状態で、当該アッパーケース２６の天壁部２６Ｕに形成された複数のキー開口４８を通して固定側筐体２４の外部へ突出される。これにより、操作者が各キー７４を打鍵可能になっている。
【００２４】
キーボード７０とプリント基板２２との間には、樹脂製の支持フレーム８０が配置される。支持フレーム８０は平面視にて矩形に形成されており、長手方向を装置幅方向にして配置される。また、支持フレーム８０は、格子状に形成されると共にプリント基板２２に対してキーボード７０を支持する格子状部８６を有している。格子状部８６は、支持フレーム８０の全域にわたって設けられている。この支持フレーム８０は、アッパーケース２６との間でキーボード７０を挟んだ状態で、ロアケース２８側からアッパーケース２６に取り付けられる。
【００２５】
具体的には、図４及び図５に示されるように、支持フレーム８０は、キーボード７０の下側（矢印Ｚ方向と反対側）からアッパーケース２６に重ねられる。この支持フレーム８０の長手方向の両端部には、取付部の一例としてのブラケット８２がそれぞれ設けられている。これらのブラケット８２に形成された取付孔８２Ａにアッパーケース２６の天壁部２６Ｕの下面から突出する取付ピン８４をそれぞれ挿入することにより、支持フレーム８０がアッパーケース２６に取り付けられる（固定される）。なお、各取付ピン４６には、キーボード７０のベースボード７２に設けられた取付部７２Ａも取り付けられる。
【００２６】
図４に示されるように、支持フレーム８０の格子状部８６は、複数の縦格子梁８６Ａと複数の横格子梁８６Ｂとを格子状に結合して形成されている。複数の縦格子梁８６Ａは、装置前後方向に延びると共に、装置幅方向に間隔を空けて配置されている。一方、複数の横格子梁８６Ｂは、装置幅方向に延びる共に、装置前後方向に間隔を空けて配置されている。これらの縦格子梁８６Ａと横格子梁８６Ｂとは、互いに交差（直交）する交差部８６Ｃにおいて結合されている。また、格子状部８６には、複数の縦格子梁８６Ａ及び横格子梁８６Ｂによって囲まれた複数の開口８８が形成されている。これらの開口８８内には、プリント基板２２の上面２２Ｕ（図２参照）に実装された図示しない電子部品が配置可能になっている。
【００２７】
このように格子状に形成された格子状部８６は、図６に示されるように、キーボード７０とプリント基板２２との間に配置され、これらのキーボード７０及びプリント基板２２と積層された状態で固定側筐体２４に収納されている。これにより、格子状部８６の縦格子梁８６Ａ及び横格子梁８６Ｂを介して少なくともキーボード７０のベースボード７２における長手方向の中間部がプリント基板２２に支持されている。
【００２８】
また、図７に示されるように、各横格子梁８６Ｂは、装置幅方向（矢印Ｘ方向）に配列された複数のキー７４と平面視にてラップするように配置されている。つまり、各横格子梁８６Ｂは、平面視にて装置幅方向に配列された複数のキー７４の各々を装置幅方向に横切るように配置されている。これにより、キーボード７０が打鍵されたときに、キー７４がベースボード７２（図２参照）を介して横格子梁８６Ｂに支持される。
【００２９】
なお、本実施例では、各横格子梁８６Ｂは、装置幅方向に配列された複数のキー７４の装置前後方向（矢印Ｙ方向）の中央部と平面視にてラップするように配置されている。つまり、各横格子梁８６Ｂは、装置幅方向に配列された複数のキー７４の各々の装置前後方向の中央部を装置幅方向に横切るように配置されている。これにより、キーボード７０が打鍵されたときに、キー７４の装置前後方向の中央部がベースボード７２を介して横格子梁８６Ｂに支持される。
【００３０】
ここで、図８に示されるように、支持フレーム８０の長手方向の一端側（右側）には、格子状部８６を板厚方向に貫通する拡張ユニット用収容開口９０が形成されている。拡張ユニット用収容開口９０は、記憶装置５０の外形に応じて平面視にて矩形に形成されており、その内部に記憶装置５０の上端部５０Ｕが配置（収容）される。また、格子状部８６には、拡張ユニット用収容開口９０の周縁部９０Ａからロアケース２８の底壁部２８Ｌ（図２参照）へ向けて突出する複数の拡張ユニット用リブ９２Ａ，９２Ｂ，９２Ｃ，９２Ｄが設けられている。これらの拡張ユニット用リブ９２Ａ〜９２Ｄは板状に形成されおり、拡張ユニット用収容開口９０の周縁部９０Ａに沿って当該拡張ユニット用収容開口９０に収容された記憶装置５０を囲むように配置されている。
【００３１】
図９（Ａ）及び図９（Ｂ）に示されるように、各拡張ユニット用リブ９２Ａ〜９２Ｄは、固定側筐体２４に収納された状態で、各々の先端部（下端部）９２Ｌがロアケース２８の底壁部２８Ｌに当接されている。なお、図９（Ａ）及び図９（Ｂ）には、拡張ユニット用リブ９２Ｄが図示されていない。また、図９（Ａ）に示されるように、拡張ユニット用リブ９２Ｂの先端から支持フレーム８０（格子状部８６）の上面８０Ｕまでの高さ（長さ）Ｈ１は、記憶装置５０の高さ（長さ）Ｔよりも高くされている。これにより、記憶装置５０の上端部５０Ｕが、支持フレーム８０の上面８０Ｕからキーボード７０側へ突出しないようになっている。これと同様に、他の拡張ユニット用リブ９２Ａ，９２Ｃ，９２Ｄの先端から支持フレーム８０の上面８０Ｕまでの高さは、記憶装置５０の高さ（長さ）Ｔよりも高くされている。これにより、キーボード７０が打鍵されたときに、記憶装置５０上のベースボード７２が拡張ユニット用リブ９２Ａ〜９２Ｄを介してロアケース２８の底壁部２８Ｌに支持される。
【００３２】
一方、図１０に示されるように、支持フレーム８０の長手方向の他端側（左側）には、格子状部８６を板厚方向に貫通する冷却ユニット用収容開口９４が形成されている。冷却ユニット用収容開口９４は、ファンユニット５４の上部の外形に応じて平面視にて半円形に形成されており、その内部にファンユニット５４の上端部５４Ｕが配置（収容）される。また、格子状部８６には、冷却ユニット用収容開口９４の周縁部９４Ａからロアケース２８の底壁部２８Ｌ（図２参照）へ向けて突出する一対の冷却ユニット用リブ９６が設けられている。
【００３３】
一対の冷却ユニット用リブ９６は板状に形成されており、冷却ユニット用収容開口９４の周縁部９４Ａにおける支持フレーム８０の他端側に装置前後方向に対向して設けられている。これら一対の冷却ユニット用リブ９６は、拡張ユニット用リブ９２Ａ〜９２Ｄと同様に、固定側筐体２４に収納された状態で、各々の先端部（下端部）９６Ｌがロアケース２８の底壁部２８Ｌに当接されている。また、各冷却ユニット用リブ９６の先端から支持フレーム８０（格子状部８６）の上面８０Ｕまでの高さは、ファンユニット５４の高さＦ（図１１参照）よりも高くされている。これにより、キーボード７０が打鍵されたときに、ファンユニット５４上のベースボード７２が一対の冷却ユニット用リブ９６を介してロアケース２８の底壁部２８Ｌに支持される。
【００３４】
なお、支持フレーム８０の長手方向の他端側における前端部には、支持リブ９８が設けられている。この支持リブ９８は、冷却ユニット用リブ９６と同様の構成とされている。これにより、キーボード７０が打鍵されたときに、キーボード７０のベースボード７２が一対の冷却ユニット用リブ９６を介してロアケース２８の底壁部２８Ｌに支持される。
【００３５】
また、支持フレーム８０の長手方向の他端側には、ファンユニット５４を覆う金属製のカバー体１００が取り付けられている。カバー体１００は、ファンユニット５４をキーボード７０（図１１参照）側から覆うカバー本体部１０２と、カバー本体部１０２の周縁部１０２Ａからロアケース２８（図１１参照）側へ延出する一対の側壁部１０４とを有している。このカバー体１００は、ロアケース２８側から冷却ユニット用収容開口９４へ挿入され、カバー本体部１０２に設けられた係合部１０２Ｂを冷却ユニット用収容開口９４の周縁部９４Ａに係合させることにより、格子状部８６に取り付けられる。なお、カバー本体部１０２には、軽量化のための複数の貫通孔１０６が形成されている。
【００３６】
一対の側壁部１０４は板状に形成されており、装置前後方向に対向して配置されている。これら一対の側壁部１０４の間には、図１１に示されるように、ファンユニット５４が配置され、ファンユニット５４の各側面に一対の側壁部１０４がそれぞれ対向される。また、一対の側壁部１０４は、固定側筐体２４に収納された状態で、各々の下端部１０４Ｌがロアケース２８の底壁部２８Ｌに当接される。さらに、側壁部１０４の下端からカバー体１００のカバー本体部１０２の上面１０２Ｕまでの高さＨ２は、ファンユニット５４の高さＦよりも高くされている。これにより、ファンユニット５４の上端部５４Ｕが、支持フレーム８０（格子状部８６）の上面８０Ｕからキーボード７０側へ突出しないようになっている。これにより、キーボード７０が打鍵されたときに、ファンユニット５４上のベースボード７２が一対の側壁部１０４を介してロアケース２８の底壁部２８Ｌに支持される。
【００３７】
次に、本実施例の作用について説明する。
【００３８】
図６に示されるように、キーボード７０とプリント基板２２との間には支持フレーム８０が配置されている。これらのキーボード７０、支持フレーム８０、及びプリント基板２２は、積層された状態でアッパーケース２６に取り付けられている。この支持フレーム８０の格子状部８６によってプリント基板２２に対してキーボード７０を支持することにより、キーボード７０が打鍵されたときに、キーボード７０のベースボード７２のたわみが抑制される。従って、操作者の打鍵性（キーボード７０の操作性）が向上する。
【００３９】
また、支持フレーム８０は、格子状に形成された格子状部８６を有している。この格子状部８６には、複数の縦格子梁８６Ａ及び横格子梁８６Ｂによって囲まれた複数の開口８８が形成されている。これらの開口８８内にプリント基板２２の上面２２Ｕ側に実装された図示しない電子部品を配置（挿入）することにより、格子状部８６をプリント基板２２の上面２２Ｕに載置することができる。これにより、格子状部８６とプリント基板２２との間の隙間をなくすことができる。従って、固定側筐体２４の薄型化を図ることができる。つまり、本実施例では、打鍵によるキーボード７０（ベースボード７２）のたわみを抑制しつつ、固定側筐体２４の薄型化を図ることができる。
【００４０】
さらに、本実施例では、支持フレーム８０が樹脂で形成されている。従って、プリント基板２２の上面２２Ｕに絶縁処理等を施す必要がないため、コスト削減を図ることができる。
【００４１】
しかも、図７に示されるように、格子状部８６の各横格子梁８６Ｂは、装置幅方向に配列された複数のキー７４と平面視にてラップするように配置されている。これにより、キーボード７０が打鍵されたときに、キー７４によって直接的に押圧されるベースボード７２の部位が横格子梁８６Ｂを介してプリント基板２２に支持される。したがって、ベースボード７２のたわみがさらに抑制される。特に、本実施例では、格子状部８６の各横格子梁８６Ｂが、装置幅方向に配列された複数のキー７４の装置前後方向の中央部と平面視にてラップするように配置されている。これにより、キーボード７０が打鍵されたときに、装置幅方向に配列された複数のキー７４の装置前後方向の中央部が横格子梁８６Ｂを介してプリント基板２２に支持される。従って、ベースボード７２のたわみがさらに抑制される。
【００４２】
ここで、本実施例では、図３に示されるように、固定側筐体２４の後側に記憶装置５０及びファンユニット５４が平面視にてキーボード７０とラップするように収納されている。そのため、固定側筐体２４の前側に設けられたバッテリ６０の収納スペースの装置幅方向の幅（長さ）が広くなっている。したがって、バッテリ６０の容量を確保しつつ、バッテリ６０の薄型化を図ることができる。この結果、固定側筐体２４の薄型化を図ることができる。さらに、記憶装置５０と比較して発熱量が少ないバッテリ６０を固定側筐体２４の前側、即ちアッパーケース２６のパームレスト部２６Ｐ側に収納することにより、操作者の手首等へ伝わる熱量が低減される。
【００４３】
一方、記憶装置５０及びファンユニット５４が平面視にてキーボード７０とラップしていると、これらの記憶装置５０及びファンユニット５４が支持フレーム８０に干渉し、固定側筐体２４の厚みが増加する可能性がある。これに対して本実施例では、記憶装置５０及びファンユニット５４と支持フレーム８０とが干渉しないように、支持フレーム８０の格子状部８６の一部に拡張ユニット用収容開口９０及び冷却ユニット用収容開口９４が形成されている。
【００４４】
具体的には、図８、図９（Ａ）、及び図９（Ｂ）に示されるように、格子状部８６の長手方向の一端側には、拡張ユニット用収容開口９０が形成されている。この拡張ユニット用収容開口９０に記憶装置５０の上端部５０Ｕを配置することにより、例えば、記憶装置５０の上端部５０Ｕの上に格子状部８６が載置され、当該記憶装置５０に格子状部８６が干渉する場合と比較して、固定側筐体２４の薄型化を図ることができる。
【００４５】
さらに、拡張ユニット用収容開口９０の周縁部９０Ａには、複数の拡張ユニット用リブ９２Ａ〜９２Ｄが設けられている。各拡張ユニット用リブ９２Ａ〜９２Ｄの先端部９２Ｌは、ロアケース２８の底壁部２８Ｌに当接されている。従って、キーボード７０が打鍵されたときに、記憶装置５０上のベースボード７２が拡張ユニット用リブ９２Ａ〜９２Ｄを介してロアケース２８の底壁部２８Ｌに支持される。これにより、記憶装置５０上のベースボード７２のたわみ量が低減される。さらに、ベースボード７２のたわみ量が低減される結果、ベースボード７２から記憶装置５０の上端部５０Ｕに作用する圧力が減少する。従って、記憶装置５０の破損等が抑制される。
【００４６】
一方、図１０及び図１１に示されるように、格子状部８６の長手方向の他端側には、冷却ユニット用収容開口９４が形成されている。この冷却ユニット用収容開口９４にファンユニット５４の上端部５４Ｕを配置することにより、例えば、ファンユニット５４の上端部５４Ｕの上に格子状部８６が載置され、当該上端部５４Ｕに格子状部８６が干渉する場合と比較して、薄型化を図ることができる。
【００４７】
また、冷却ユニット用収容開口９４の周縁部９４Ａには、複数の冷却ユニット用リブ９６が設けられている。これらの冷却ユニット用リブ９６の先端部９６Ｌは、図示を省略するが、拡張ユニット用収容開口９０と同様にロアケース２８の底壁部２８Ｌに当接されている。従って、キーボード７０が打鍵されたときに、ファンユニット５４上のベースボード７２が冷却ユニット用リブ９６を介してロアケース２８の底壁部２８Ｌに支持される。これにより、ファンユニット５４上のベースボード７２のたわみ量が低減される。さらに、ベースボード７２のたわみ量が低減される結果、ベースボード７２からファンユニット５４の上端部５４Ｕに作用する圧力が減少する。従って、ファンユニット５４の破損等が抑制される。
【００４８】
さらに、冷却ユニット用収容開口９４には、金属製のカバー体１００が取り付けられている。このカバー体１００のカバー本体部１０２によってファンユニット５４の上端部５４Ｕがキーボード７０側から覆われている。また、カバー本体部１０２の周縁部１０２Ａに設けられた一対の側壁部１０４の下端部１０４Ｌは、一対の冷却ユニット用リブ９６と同様に、ロアケース２８の底壁部２８Ｌに当接されている。従って、キーボード７０が打鍵されたときに、ファンユニット５４上のベースボード７２がカバー体１００のカバー本体部１０２及び一対の側壁部１０４を介してロアケース２８の底壁部２８Ｌに支持される。これにより、ファンユニット５４上のベースボード７２のたわみ量がさらに低減されると共に、ベースボード７２からファンユニット５４の上端部５４Ｕに作用する圧力がさらに減少する。
【００４９】
しかも、カバー体１００は金属で形成されている。従って、カバー体１００を樹脂で形成した場合と比較して、強度を確保しつつ、カバー体１００のカバー本体部１０２の板厚を薄くすることができる。従って、固定側筐体２４の薄型化をさらに図ることができる。
【００５０】
次に、本実施例に係る電子機器の変形例について説明する。
【００５１】
上記実施例では、拡張ユニット用リブ９２Ａ〜９２Ｄの先端部９２Ｌがロアケース２８の底壁部２８Ｌにそれぞれ当接された例を示したが、これに限らない。例えば、各拡張ユニット用リブ９２Ａ〜９２Ｄの先端部９２Ｌとロアケース２８の底壁部２８Ｌとの間に隙間を空けておき、キーボード７０が打鍵されたときに、拡張ユニット用リブ９２Ａ〜９２Ｄの先端部９２Ｌをロアケース２８の底壁部２８Ｌにそれぞれ当接させも良い。これにより、上記実施例と同様に、拡張ユニット用リブ９２Ａ〜９２Ｄを介してキーボード７０がロアケース２８の底壁部２８Ｌに支持されるため、記憶装置５０上のベースボード７２のたわみ量が低減される。冷却ユニット用リブ９６及びカバー体１００の側壁部１０４についても同様である。さらに、拡張ユニット用リブ９２Ａ〜９２Ｄ、冷却ユニット用リブ９６、及びカバー体１００の側壁部１０４の配置、形状、及び数等は適宜変更可能である。
【００５２】
また、上記実施例では、格子状部８６の各横格子梁８６Ｂが、平面視にて装置幅方向に配列された複数のキー７４とラップした例を示したが、これに限らない。複数の横格子梁８６Ｂは、平面視にて装置幅方向に配列された複数のキー７４と必ずしもラップしていなくても良い。ただし、キーボード７０のたわみを抑制する観点からすれば、横格子梁８６Ｂの少なくとも１つを、装置幅方向に配列された複数のキー７４とラップさせることが望ましい。
【００５３】
また、図１２に示されるように、縦格子梁８６Ａと横格子梁８６Ｂとの交差部８６Ｃを平面視にてキー７４の中心部７４Ａとラップさせても良い。これにより、キーボード７０が打鍵されたときに、キー７４の中心部７４Ａが縦格子梁８６Ａと横格子梁８６Ｂとの交差部８６Ｃによって支持されるため、キーボード７０のたわみがさらに抑制される。また、縦格子梁８６Ａ及び横格子梁８６Ｂの配置や数は適宜変更可能である。
【００５４】
また、上記実施例では、平面視にて記憶装置５０及びファンユニット５４がキーボード７０とラップする例を示したが、これに限らない。記憶装置５０及びファンユニット５４の少なくとも一方が、平面視にてキーボード７０とラップしていれば良い。また、記憶装置５０及びファンユニット５４の配置は適宜変更可能である。
【００５５】
また、上記実施例では、カバー体１００によってファンユニット５４をキーボード７０側から覆う例を示したが、カバー体１００は適宜省略可能である。また、冷却ユニット用収容開口９４の周縁部９４Ａに設けた冷却ユニット用リブ９６も適宜省略可能である。つまり、格子状部８６に冷却ユニット用収容開口９４を形成した場合は、格子状部８６にカバー体１００及び冷却ユニット用リブ９６の少なくとも一方を設ければ良い。
【００５６】
また、上記実施例では、格子状部８６を支持フレーム８０の全域にわたって設けた例を示したが、これに限らない。例えば、支持フレーム８０の一部に格子状部８６を設けても良い。
【００５７】
また、上記実施例では、支持フレーム８０を樹脂で形成した例を示したが、これに限らない。支持フレーム８０は、金属で形成することも可能である。この場合、支持フレーム８０及びプリント基板２２の少なくとも一方に絶縁処理を施すことが望ましい。
【００５８】
さらに、上記実施例では、電子機器の一例として、ノートパソコン１０を例に説明したが、上記実施例は、例えば、携帯電話、携帯用のＤＶＤプレーヤー、電子辞書等の電子機器にも適用可能である。
【００５９】
以上、本願が開示する技術の一実施例について説明したが、本願が開示する技術は上記の実施例に限定されるものでない。また、上記実施例及び各種の変形例を適宜組み合わせて用いても良いし、本願が開示する技術の要旨を逸脱しない範囲において、種々なる態様で実施し得ることは勿論である。
【００６０】
なお、上述の本願が開示する技術の一態様に関し、更に以下の付記を開示する。
【００６１】
（付記１）
プリント基板と、
前記プリント基板を上面側から覆うアッパーケースと、前記プリント基板を下面側から覆うロアケースとを有し、前記プリント基板を収納する筐体と、
前記プリント基板と前記アッパーケースとの間に配置されたキーボードと、
前記キーボードと前記ロアケースとの間に配置された拡張ユニットと、
前記キーボードと前記プリント基板との間に配置されると共に前記プリント基板に対して前記キーボードを支持する格子状部を有し、前記格子状部の一部に前記拡張ユニットが配置される拡張ユニット用収容開口が形成された支持部材と、
を備えた電子機器。
（付記２）
前記格子状部には、前記拡張ユニット用収容開口の周縁部から前記ロアケースの底壁部へ向けて突出する拡張ユニット用リブが設けられている、
付記１に記載の電子機器。
（付記３）
前記拡張ユニット用リブの先端部が、前記ロアケースの底壁部に当接される、
付記２に記載の電子機器。
（付記４）
前記キーボードと前記ロアケースとの間に配置された冷却ユニットを備え、
前記格子状部の一部には、前記冷却ユニットが配置される冷却ユニット用収容開口が形成されている、
付記１〜付記３の何れか一つに記載の電子機器。
（付記５）
前記格子状部には、前記冷却ユニット用収容開口の周縁部から前記ロアケースの底壁部へ向けて突出する冷却ユニット用リブが設けられている、
付記４に記載の電子機器。
（付記６）
前記冷却ユニット用リブの先端部が、前記ロアケースの底壁部に当接される、
付記５に記載の電子機器。
（付記７）
樹脂製の前記支持部材に取り付けられた金属製のカバー体を備え、
前記カバー体が、
前記冷却ユニット用収容開口に配置された前記冷却ユニットを前記キーボード側から覆うカバー本体部と、
前記天壁部の周縁部から前記ロアケースへ向けて延出され、下端部が該ロアケースの底壁部に当接される側壁部と、
を有する、
付記４〜付記６の何れか一つに記載の電子機器。
（付記８）
前記キーボードが、前記筐体の前後方向及び幅方向に配列された複数のキーを有し、
前記格子状部が、
前記筐体の前後方向に延びると共に、該筐体の幅方向に間隔を空けて配置された複数の縦格子梁と、
前記筐体の幅方向に延びると共に、該筐体の前後方向に間隔を空けて配置され、前記複数の縦格子梁と格子状に結合された複数の横格子梁と、
を有し、
前記複数の横格子梁の少なくとも１つが、平面視にて前記筐体の幅方向に配列された前記複数のキーとラップしている、
付記１〜付記７の何れか一つに記載の電子機器。
（付記９）
前記筐体内に収納されると共に、前記拡張ユニットに対して前記筐体の前後方向の前側に配置されたバッテリを備えた、
付記１〜付記８の何れか一つに記載の電子機器。
（付記１０）
前記キーボードが、長手方向を前記筐体の幅方向として配置され、
前記拡張ユニットが、前記キーボードの長手方向の一端側に配置され、
前記冷却ユニットが、前記キーボードの長手方向の他端側に配置され、
前記格子状部が、少なくとも前記キーボードの長手方向の中間部を支持する、
付記４〜付記７の何れか一つに記載の電子機器。
（付記１１）
前記拡張ユニットが、記憶装置である、
付記１〜付記１０の何れか一つに記載の電子機器。
（付記１２）
前記筐体内に収納され、プリント基板に実装された電子部品との間で冷媒が循環されるヒートシンクを備え、
前記冷却ユニットが、前記ヒートシンクへ冷却風を送風するファンユニットである、
付記４〜付記７及び付記１０の何れか一つに記載の電子機器。
（付記１３）
前記横格子梁と前記縦格子梁との交差部が、平面視にて前記キーの中心部とラップしている、
付記８に記載の電子機器。
（付記１４）
前記電子機器が、ノートブック型パーソナルコンピュータである、
付記１〜付記１３の何れか一つに記載の電子機器。
【符号の説明】
【００６２】
１０      ノートパソコン（電子機器の一例）
２２      プリント基板
２２Ｕ    上面（プリント基板の上面の一例）
２２Ｌ    下面（プリント基板の下面の一例）
２４      固定側筐体（筐体の一例）
２６      アッパーケース
２６Ｕ    天壁部（アッパーケースの天壁部の一例）
２８      ロアケース
２８Ｌ    底壁部（ロアケースの底壁部の一例）
５０      記憶装置（拡張ユニットの一例）
５４      ファンユニット（冷却ユニットの一例）
６０      バッテリ
７０      キーボード
７４      キー
８０      支持フレーム（支持部材の一例）
８６      格子状部
８６Ａ    縦格子梁
８６Ｂ    横格子梁
９０      拡張ユニット用収容開口
９０Ａ    周縁部（拡張ユニット用収容開口の周縁部の一例）
９２Ａ    拡張ユニット用リブ
９２Ｂ    拡張ユニット用リブ
９２Ｃ    拡張ユニット用リブ
９２Ｄ    拡張ユニット用リブ
９２Ｌ    先端部（拡張ユニット用リブの先端部の一例）
９４      冷却ユニット用収容開口
９４Ａ    周縁部（冷却ユニット用収容開口の周縁部の一例）
９６      冷却ユニット用リブ
９６Ｌ    先端部（冷却ユニット用リブの先端部の一例）
１００    カバー体
１０２    カバー本体部
１０２Ａ  周縁部（カバー本体部の周縁部の一例）
１０４    側壁部
１０４Ｌ  下端部（側壁部の先端部の一例）
【図６】
2013200677.tif 000003
【図７】
2013200677.tif 000004
【図９】
2013200677.tif 000005
【図１１】
2013200677.tif 000006
【図１２】
2013200677.tif 000007
【図１】
2013200677.tif 000008
【図２】
2013200677.tif 000009
【図３】
2013200677.tif 000010
【図４】
2013200677.tif 000011
【図５】
2013200677.tif 000012
【図８】
2013200677.tif 000013
【図１０】
2013200677.tif 000014